(57)【要約】【課題】  写真撮影システムに用いられる情報処理装置にあって、作業効率の向上を図るとともに、画像の判定基準を一定に保つ。【解決手段】  パーソナルコンピュータで写真撮影システム用プログラムを起動し、撮影工程に移行させると、モニタに撮影ウィンドウ６０が表示される。デジタルカメラからパーソナルコンピュータに送信された圧縮画像データは、主要部分抽出回路に読み出され、人物の顔などといった主要部分の抽出が行われる。抽出された主要部分は、画像判定回路に送られ、ピントと露出との判定項目についてプリント注文に適しているか否かが判定される。この判定結果が、ピント判定結果アイコン６５、及び露出判定結果アイコン６６に表示され、判定結果がオペレータに報知される。【選択図】        図５
2006178348.tif 000002
【特許請求の範囲】
【請求項１】
撮影によって得られた画像データを取り込んで、前記画像データで表される画像をモニタに表示するとともに、前記画像のプリント注文を受け付ける情報処理装置において、
前記画像データから前記画像内の主要部分を抽出する抽出手段と、
前記プリント注文の適否を決定するための判定項目について、前記主要部分が前記プリント注文に適しているか否かを判定する判定手段と、
この判定手段の判定結果を報知する報知手段とを備えたことを特徴とする情報処理装置。
【請求項２】
前記判定項目には、少なくともピントの合焦状態と露出の過不足とが含まれることを特徴とする請求項１記載の情報処理装置。
【請求項３】
前記報知手段は、前記判定項目が複数ある場合に、その判定項目毎に前記判定結果を報知することを特徴とする請求項１又は２記載の情報処理装置。
【請求項４】
前記報知手段は、前記抽出手段が前記画像データから複数の前記主要部分を抽出した際に、複数の前記主要部分の判定結果を個別に報知することを特徴とする請求項１から３のいずれか１項に記載の情報処理装置。
【請求項５】
前記画像の全体と、拡大表示した前記主要部分とを前記モニタの同一画面上に表示する並列表示手段を有することを特徴とする請求項１から４のいずれか１項に記載の情報処理装置。
【請求項６】
前記画像データと前記判定結果とを対応付けて記憶する記憶手段と、
この記憶手段に複数の前記画像データが記録されている際に、各画像を並べて前記モニタに表示するとともに、前記各画像に対応する各判定結果を前記記憶手段から読み出して、前記各判定結果を示す記号を前記各画像に重ねて表示する一覧表示手段とを有することを特徴とする請求項１から５のいずれか１項に記載の情報処理装置。
【請求項７】
前記報知手段は、前記モニタに前記判定項目毎のアイコンを表示させ、このアイコンの色を変えることによって、前記判定結果を報知することを特徴とする請求項１から６のいずれか１項に記載の情報処理装置。
【請求項８】
前記報知手段は、前記モニタに表示された前記画像の前記主要部分に対応する箇所に、前記判定結果に基づいた報知画像を重ねて表示させることによって、前記判定結果を報知することを特徴とする請求項１から７のいずれか１項に記載の情報処理装置。
【請求項９】
前記報知手段は、前記アイコンがクリック操作されたことに応じて、前記報知画像を表示させることを特徴とする請求項８記載の情報処理装置。
【請求項１０】
前記抽出手段は、前記主要部分として人物の顔を抽出することを特徴とする請求項１から８のいずれか１項に記載の情報処理装置。
【発明の詳細な説明】
【技術分野】
【０００１】
本発明は、記念写真や商品の撮影を専門に行う写真スタジオに設置される写真撮影システムに用いられる情報処理装置に関する。
【背景技術】
【０００２】
近年、記念写真や商品の撮影を専門に行う写真スタジオに、デジタルカメラで撮影した画像をパーソナルコンピュータのモニタ上に表示し、その場で画像のプリント注文を受け付けることができるようにした写真撮影システムが導入されている（特許文献１参照）。
【０００３】
モニタに表示された画像は、オペレータによってピンボケや露出の過不足などが確認され、画像がプリントに適しているか否かが判定される。この際、例えば、人物の顔などといった当該画像の主要部分は、完成したプリント写真の品質に大きく寄与するため、拡大表示するなどして特に念入りに確認が行われている。
【特許文献１】特開２００２−１３９８０５号公報
【発明の開示】
【発明が解決しようとする課題】
【０００４】
しかしながら、上記特許文献１に記載された写真撮影システムでは、この拡大表示操作をオペレータが手動で行わなければならず、多くの画像を撮影する写真スタジオにおいて、逐一画像を拡大表示させるのは、オペレータにとって非常に煩わしいものであった。特に、オペレータがカメラマン自身である場合には、撮影に集中するためにこうした判定を後回しにし、撮影が終了した後にまとめて行うことが多い。この際、撮影した画像の中に満足いくものが少ないと、撮影を再度行わなければならないなど、作業効率の低下を招いてしまう。
【０００５】
また、適否の判定の基準はオペレータの感覚に委ねられており、判定基準を一定に保つことができないという問題もある。例えば、主にアルバイトスタッフによって運営される写真スタジオでは、オペレータが必ずしも熟練者であるとは限らない。そのため、画像の判定に不慣れなものがオペレータであった際に、ピントや露出の状態が良好ではない画像がプリント注文されてしまうおそれがあった。
【０００６】
本発明は、上記課題を鑑みてなされたものであって、作業効率の向上を図るとともに、画像の判定基準を一定に保つことができる情報処理装置を提供することを目的とする。
【課題を解決するための手段】
【０００７】
上記目的を達成するため、本発明の情報処理装置は、画像データで表される画像内の主要部分を抽出する抽出手段と、プリント注文の適否を決定するための判定項目について、前記主要部分が前記プリント注文に適しているか否かを判定する判定手段と、この判定手段の判定結果を報知する報知手段とを備えたことを特徴とする。
【０００８】
なお、前記判定項目には、少なくともピントの合焦状態と露出の過不足とが含まれることが好ましい。
【０００９】
また、前記報知手段は、前記判定項目が複数ある場合に、その判定項目毎に前記判定結果を報知することが好ましい。
【００１０】
また、前記報知手段は、前記抽出手段が前記画像データから複数の前記主要部分を抽出した際に、複数の前記主要部分の判定結果を個別に報知することが好ましい。
【００１１】
また、前記画像の全体と、拡大表示した前記主要部分とを前記モニタの同一画面上に表示する並列表示手段を設けるようにしてもよい。
【００１２】
さらに、前記画像データと前記判定結果とを対応付けて記憶する記憶手段と、この記憶手段に複数の前記画像データが記録されている際に、各画像を並べて前記モニタに表示するとともに、前記各画像に対応する各判定結果を前記記憶手段から読み出して、前記各判定結果を示す記号を前記各画像に重ねて表示する一覧表示手段とを設けてもよい。
【００１３】
なお、前記報知手段は、前記モニタに前記判定項目毎のアイコンを表示させ、このアイコンの色を変えることによって、前記判定結果を報知することが好ましい。
【００１４】
また、前記報知手段は、前記モニタに表示された前記画像の前記主要部分に対応する箇所に、前記判定結果に基づいた報知画像を重ねて表示させることによって、前記判定結果を報知するものであってもよい。
【００１５】
さらに、前記報知手段は、前記アイコンがクリック操作されたことに応じて、前記報知画像を表示させるようにしてもよい。
【００１６】
また、前記抽出手段は、前記主要部分として人物の顔を抽出することが好ましい。
【発明の効果】
【００１７】
本発明の情報処理装置によれば、画像データで表される画像内の主要部分を抽出手段で抽出して、その主要部分がプリント注文に適しているか否かの判定を判定手段で行い、報知手段で判定結果を報知するようにしたので、報知手段を確認しながら撮影を行うことによって即座に判定結果を知ることが可能となり、オペレータが主要部分を拡大表示する必要がないとともに、撮影の二度手間がなくなるので、作業効率の向上を図ることができる。また、プリント注文の適否の判定を判定手段が行うことにより、オペレータの感覚によるものではなく、一義的な判定基準を基にした判定が行われる。これにより、例えば、判定に不慣れなものがオペレータであったとしても、プリントに適さない画像データが注文されてしまうことを防止することができる。
【発明を実施するための最良の形態】
【００１８】
図１において、写真撮影システム２は、婚礼や七五三などの記念撮影や商品撮影を専門に取り扱う写真スタジオに設置され、デジタルカメラ１０で撮影して得られた画像データ、あるいは、メモリカードやＣＤ−Ｒなどの記録媒体１１に記録された画像データ（写真フイルムをＴＩＦＦまたはＪＰＥＧ形式でデジタイズしたものも含む）を、情報処理装置としてのパーソナルコンピュータ（以下、ＰＣと略す）１２に取り込み、画像をＰＣ１２のモニタ１３上に表示して画像のプリント注文を受け付け、写真スタジオに備え付けのプリンタ１４や、プリントラボ１５に設置された業務用プリンタ１６で、注文内容に応じたプリントを作成するものである。
【００１９】
デジタルカメラ１０、プリンタ１４、および業務用プリンタ１６は、例えば、ＩＥＥＥ１３９４、ＵＳＢ（Universal Serial Bus）などに準拠した通信ケーブルや、無線ＬＡＮなどによりＰＣ１２に接続され、ＰＣ１２とのデータの相互通信が可能となっている。また、記録媒体１１も同様に、専用のドライバを介してＰＣ１２とのデータの遣り取りが可能となっている。
【００２０】
デジタルカメラ１０の内部構成を示す図２において、ＣＰＵ２０は、データバス２１を介して各部に接続され、デジタルカメラ１０全体の動作を統括的に制御する。ＲＯＭ２２には、デジタルカメラ１０を動作させるための各種プログラムやデータが記憶されている。ＣＰＵ２０は、これらのプログラムやデータをＲＯＭ２２から作業用メモリであるＲＡＭ２３に読み出して、各種処理を実行する。また、ＣＰＵ２０は、シャッタレリーズを行わせるためのレリーズボタンや、絞り、シャッタ速度、ズーム倍率、撮影感度などを設定するための各種設定ボタンで構成される操作部２４からの入力を受けて、デジタルカメラ１０の各部を動作させる。
【００２１】
撮像部２５は、周知の撮像レンズやＣＣＤを備え、被写体の光学像を光電変換してデジタルの画像データを出力する。撮像部２５から出力された画像データは、ＲＡＭ２３に一旦格納される。この画像データは、ホワイトバランス処理などの画像処理が施されていない原画像データ（ＲＡＷデータ）であり、例えば、ＲＧＢの色毎に１２ビットで表現される階調値を持った多数の画素データから構成される。
【００２２】
画像処理回路２６は、ＲＡＭ２３から原画像データを読み出して、ＲＧＢの色毎の階調値を８ビットに縮小するとともに、ホワイトバランス処理や階調変換処理などの適当な画像処理を施す。
【００２３】
圧縮・伸長処理回路２７は、画像処理回路２６で画像処理が施された画像データに対して、ＪＰＥＧで定められたフォーマットに従って圧縮処理を施し、圧縮画像データを出力する。また、画像処理済みの画像データに間引き演算を施すことで、例えば、１２８０×９６０ピクセルのＪＰＥＧ画像データ（サムネイル画像データ）を出力する。圧縮・伸長処理回路２７で圧縮処理された画像データは、メディアコントローラ２８を経由してメモリカード２９に記録される。
【００２４】
ＬＣＤ３０は、ＬＣＤドライバ３１の制御の下に、被写体像のスルー画像を表示するとともに、撮影した画像を再生表示する。通信Ｉ／Ｆ３２は、撮像部２５から出力された原画像データ、圧縮・伸長処理回路２７から出力された圧縮画像データおよびサムネイル画像データを、前述の通信ケーブルや無線ＬＡＮを介してＰＣ１２に送信する。
【００２５】
ＰＣ１２の内部構成を示す図３において、ＣＰＵ３５は、データバス３６を介して各部に接続され、ＰＣ１２全体の動作を統括的に制御する。記憶手段としてのハードディスクドライブ（ＨＤＤ）３７には、ＰＣ１２を動作させるための各種プログラムやデータの他に、写真撮影システム用プログラム（以下、単にプログラムという）３８が記憶されている。なお、ＨＤＤ３７に記憶されるデータには、デジタルカメラ１０から送信された各画像データや、これらの画像データと関連付けて記憶され、後述する顧客の個人情報やプリント注文の内容などの顧客管理データがある。
【００２６】
プログラム３８は、デジタルカメラ１０による撮影、記録媒体１１からの画像データの取り込み、顧客へのプレゼンテーションおよびプリント注文する画像の選択、トリミングや色調整などの検定、プリント注文、発注、照合までの工程を、ＰＣ１２で一括して処理することができるようにしたものであり、ＣＤ−ＲＯＭ、ＤＶＤ−ＲＯＭなどの記録媒体からＨＤＤ３７にインストールされる。
【００２７】
ＣＰＵ３５は、プログラム３８や各種のデータをＨＤＤ３７から作業用メモリであるＲＡＭ３９に読み出して、各種処理を実行する。また、ＣＰＵ３５は、キーボードやマウスからなる操作部４０からの入力を受けて、ＰＣ１２の各部を動作させる。
【００２８】
ＣＰＵ３５から圧縮画像データを受け渡された際に、この圧縮画像データに対して種々の画像処理を行うＤＳＰ４１には、主要部分抽出回路（抽出手段）４２と画像判定回路（判定手段）４３とが形成されている。
【００２９】
主要部分抽出回路４２は、受け渡された圧縮画像データから、例えば、人物の顔やペット、及び商品などといった主要部分を抽出する。抽出方法には、周波数特性や色相成分などを利用する周知のパターン認識技術が用いられ、抽出する主要部分は、例えば、プログラム３８の環境設定などで選択的に変更することができる。以下、本実施形態では、主要部分を人物の顔に特定して説明する。
【００３０】
画像判定回路４３は、主要部分抽出回路４２が圧縮画像データから抽出した主要部分に対し、ピントの合焦状態と露出の過不足との判定項目についてプリント注文に適しているか否かの判定を行う。また、画像判定回路４３には、各判定項目に合わせてピント判定部４３ａと露出判定部４３ｂとが設けられている。
【００３１】
ピント判定部４３ａは、例えば、入力された主要部分の周波数解析を行って主要部分の周波数特性を取得し、予め記憶された基準周波数特性と比較することによってピントに関する異常判定を行う。主要部分が顔である場合には、ピントの合った顔画像を元に顔の基準周波数特性を作成しておき、抽出された主要部分の周波数特性と比較して、基準周波数特性よりも特性の悪いもの（例えば、高周波成分が少ないなど）を、ピント異常と判定する。
【００３２】
一方、露出判定部４３ｂは、例えば、入力された主要部分の画素毎の輝度値を参照し、予め設定された輝度値の上限値、及び下限値と比較することによって露出に関する異常判定を行う。具体的には、主要部分を構成する各画素に上限値以上の画素（露出オーバー）、及び下限値以下の画素（露出アンダー）が含まれる際に、露出異常と判定する。
【００３３】
すなわち、画像判定回路４３は、ピント判定部４３ａと露出判定部４３ｂとの両者がともに異常を判定していない際に、主要部分をプリント注文に適していると判定し、ピント判定部４３ａと露出判定部４３ｂとのいずれか一方でも異常を判定している際に、主要部分をプリント注文に適さないと判定する。
【００３４】
また、主要部分抽出回路４２は、例えば、集合写真などのように主要部分となる顔が、１つの画像の中に複数存在する場合、その全ての顔を抽出し、画像判定回路４３は、抽出されたそれぞれの顔について判定を行う。主要部分抽出回路４２によって抽出された主要部分と、画像判定回路４３によって判定されたピントと露出の各判定結果とは、例えば、ファイルネームなどによって、元となった圧縮画像データと対応付けられてＨＤＤ３７に記憶される。なお、これらの回路４２、４３は、ＤＳＰ４１に限らず、ＦＰＧＡで構成するようにしてもよいし、ディスクリートで構成するようにしてもよい。さらには、抽出手段、判定手段として、上述の処理を行うソフトウェアをＨＤＤ３７に記録するようにしてもよい。
【００３５】
モニタ１３は、モニタドライバ４４の制御の下に、後述する顧客管理ウィンドウ５０（図４参照）や、撮影ウィンドウ６０（図５および図６参照）を表示する。通信Ｉ／Ｆ４５は、デジタルカメラ１０や記録媒体１１から送信される各画像データの受信とともに、プリンタ１４や業務用プリンタ１６へのプリント指令の送信を媒介する。
【００３６】
操作部４０が操作されてプログラム３８が起動すると、モニタ１３には、図４に示す顧客管理ウィンドウ５０が表示される。顧客管理ウィンドウ５０は、操作部４０からの操作入力により、新規顧客の登録や登録内容の修正、削除、顧客の検索などを行うためのもので、写真撮影システム２の顧客の個人情報（オーダーＩＤ、受付ＩＤ、氏名、電話番号）とともに、撮影日時、撮影内容（婚礼、七五三、赤ちゃんなど）、工程の進行状況などが一覧５１として表示される。また、顧客管理ウィンドウ５０の上部には、対象となっている顧客の情報５２が表示される。対象となっている顧客は、一覧５１上でカーソル５３（図中ハッチングで示す）により他の顧客と区別される。
【００３７】
顧客管理ウィンドウ５０の下部には、各工程に移行するためのボタン群（「撮影」、「取り込み」、「選択」、「注文」、「合成」、「検定」、「ラボ発注」、「自家処理」、および「照合」ボタン）５４が配されており、操作部４０のマウスの操作に対応するポインタ５５を、これらのボタン群５４のいずれかに合わせてクリック操作することで、対応する工程に移行するとともに、各工程用のウィンドウに表示が切り替わる。
【００３８】
「撮影」ボタンが選択されると、デジタルカメラ１０による被写体の撮影を補助する撮影工程に移行する。撮影工程に移行すると、モニタ１３には、図５に示す撮影ウィンドウ６０が表示される。撮影ウィンドウ６０には、撮影感度や絞り値などのデジタルカメラ１０の各種パラメータ情報６１や、撮影済みのサムネイル画像の一覧６２などとともに、圧縮画像データで表される画像の全体（以下、全体画像という）６３と、主要部分抽出回路４２で抽出された主要部分の画像（以下、主要画像という）６４とが表示される。また、図示のように全体画像６３に複数の主要部分が含まれる場合、主要画像６４で表示される主要部分の選択は、例えば、主要画像６４として表示させたい主要部分に、ポインタ５５を合わせてクリック操作することで行われる。
【００３９】
なお、全体画像６３と主要画像６４とを同一画面上に表示する撮影ウィンドウ６０は、プログラム３８をＣＰＵ３５が逐次処理し、モニタドライバ４４を制御することによってモニタ１３に表示されるものである。すなわち、本例における請求項記載の並列表示手段は、ＣＰＵ３５、プログラム３８、モニタドライバ４４によって構成される。
【００４０】
全体画像６３の下部には、画像判定回路４３での判定結果をオペレータに報知するピント用判定結果アイコン６５と露出用判定結果アイコン６６とが表示されている。ピント用判定結果アイコン６５は、表示されている全体画像６３に含まれる主要部分のうち、いずれか１つにでもピント判定部４３ａが異常と判定するものがある際に、例えば、表示色を正常を示す緑色から異常を示す赤色に変えて、全体画像６３内にピント異常があることをオペレータに報知する。露出用判定結果アイコン６６も同様に、表示されている全体画像６３に含まれる主要部分のうち、いずれか１つにでも露出判定部４７ｂが異常と判定するものがある際に、例えば、表示色を正常を示す緑色から異常を示す赤色に変えて、全体画像６３内に露出異常があることをオペレータに報知する。
【００４１】
各判定結果アイコン６５、６６の一方をクリック操作すると、図６に示すように、各主要部分を囲むように矩形状の枠（報知画像）６７が全体画像６３に重ねて表示される。この枠６７は、画像判定回路４３での判定結果に基づいており、例えば、正常と判定されたものには緑色、異常と判定されたものには赤色（図中では、６７ａが正常で、６７ｂが異常）などのように表示を切り換える。これにより、各判定結果アイコン６５、６６によって異常が報知された際に、どの主要部分に異常があるのかをオペレータに報知することができる。なお、枠６７の表示状態は、各判定結果アイコン６５、６６を再びクリック操作することによって解除される。
【００４２】
各判定結果アイコン６５、６６、及び枠６７は、プログラム３８をＣＰＵ３５が逐次処理し、モニタドライバ４４を制御することによってモニタ１３に表示されるものである。すなわち、本例における請求項記載の報知手段は、ＣＰＵ３５、プログラム３８、モニタドライバ４４、及びモニタ１３によって構成される。
【００４３】
図４に戻って、「取り込み」ボタンが選択されると、記録媒体１１から画像データを取り込む取り込み工程に移行する。「選択」ボタンが選択されると、画像をモニタ１３にプレビュー表示し、プリント注文をする画像を顧客に選択させる選択工程に移行する。
【００４４】
「注文」ボタンが選択されると、選択工程で選択された画像のプリントサイズ、プリント枚数などを入力する注文工程に移行する。「合成」ボタンが選択されると、選択工程で選択された画像を規定のレイアウト枠に配置して、オリジナルのフォトアルバムを作成する合成工程に移行する。「検定」ボタンが選択されると、写真撮影システム２が設置された写真スタジオで推奨する仕上がりとなるように、画像データに色補正や階調補正を施す検定工程に移行する。
【００４５】
「ラボ発注」ボタンが選択されると、注文工程で設定されたプリントサイズおよびプリント枚数にて、選択工程で選択された画像のプリント注文をプリントラボ１５の業務用プリンタ１６に発注するラボ発注工程に移行する。「自家処理」ボタンが選択されると、プリント注文をプリンタ１４に発注する自家処理工程に移行する。「照合」ボタンが選択されると、プリントラボ１５の業務用プリンタ１６に発注したプリントが写真スタジオに納品されたときに、プリントの内容確認・照合を行うためのインデックスプリントを作成する照合工程に移行する。
【００４６】
次に、上記構成を有する写真撮影システム２の処理手順について、図７のフローチャートを参照して説明する。まず、ＰＣ１２とデジタルカメラ１０、プリンタ１４、および業務用プリンタ１６とを相互通信可能なように接続し、写真撮影システム２を構築する。
【００４７】
次いで、操作部４０を操作してプログラム３８を起動し、モニタ１３に顧客管理ウィンドウ５０を表示させる。顧客管理ウィンドウ５０では、新規顧客の登録や登録内容の修正、削除、顧客の検索などが行われる。
【００４８】
「撮影」ボタンが選択されて撮影工程に移行すると、モニタ１３の表示が顧客管理ウィンドウ５０から撮影ウィンドウ６０に切り替わる。デジタルカメラ１０による撮影が開始されると、原画像データ、圧縮画像データ、およびサムネイル画像データが、通信Ｉ／Ｆ４５を経由してＨＤＤ３７に記憶される。
【００４９】
圧縮画像データは、ＨＤＤ３７に一度記憶された後、主要部分抽出回路４２に読み出され、主要部分の抽出が行われる。抽出された主要部分は、画像判定回路４３に送れられ、ピント判定部４３ａと露出判定部４３ｂとによって、それぞれの異常が判定される。
【００５０】
異常が判定された圧縮画像データは、全体画像６３として撮影ウィンドウ６０に表示される。この際、抽出された主要部分が主要画像６４として拡大表示されるとともに、画像判定回路４３での判定結果が各判定結果アイコン６５、６６に表示される。この状態で、各判定結果アイコン６５、６６がクリック操作されると、全体画像６３に判定結果に基づく枠６７が表示され、どの主要部分に異常があるのかがオペレータに報知される。表示された枠６７は、各判定結果アイコン６５、６６を再びクリック操作することによって、その表示が解除される。なお、抽出された主要部分、及び各判定結果は、基となった圧縮画像データに対応付けられてＨＤＤ３７に記憶される。
【００５１】
取り込み工程では、記録媒体１１からの画像データの取り込みが行われる。選択工程では、画像がモニタ１３にプレビュー表示され、プリント注文をする画像の選択が行われる。
【００５２】
注文工程では、選択工程で選択された画像のプリントサイズ、プリント枚数などの入力が行われる。合成工程では、オリジナルのフォトアルバムの作成が行われる。検定工程では、写真撮影システム２が設置された写真スタジオで推奨する仕上がりとなるような色補正や階調補正が行われる。
【００５３】
ラボ発注工程では、注文工程で設定されたプリントサイズおよびプリント枚数にて、プリントラボ１５の業務用プリンタ１６へのプリント注文の発注が行われる。自家処理工程では、プリンタ１４へのプリント注文の発注が行われる。照合工程では、プリントラボ１５の業務用プリンタ１６に発注したプリントが写真スタジオに納品されたときに、プリントの内容確認・照合を行うためのインデックスプリントの作成が行われる。
【００５４】
プリンタ１４、または業務用プリンタ１６では、ＰＣ１２からのプリント指令を受けて、プリント注文に応じたプリント処理が行われる。
【００５５】
以上説明したように、デジタルカメラ１０で撮影した画像データ内の主要部分を主要部分抽出回路４２で抽出して、その主要部分がプリント注文に適しているか否かの判定を画像判定回路４３で行い、各判定結果アイコン６５、６６で判定結果をオペレータに報知するようにしたので、オペレータは、各判定結果アイコン６５、６６を確認しながら撮影を行うことによって即座に判定結果を知ることができ、オペレータが主要部分を拡大表示する必要がないとともに、撮影の二度手間がないなど、作業効率の向上を図ることができる。また、画像の適否の判定を画像判定回路４３が行うことにより、オペレータの感覚によるものではなく、一義的な判定基準を基にした判定が行われる。これにより、例えば、判定に不慣れなものがオペレータであったとしても、プリントに適さない画像データが注文されてしまうことを防止することができる。
【００５６】
なお、上記実施形態では、圧縮画像データを全体画像６３として表示するときにのみ判定結果を報知するようにしているが、図８に示すように、サムネイル画像データが一覧６２にサムネイル表示される際に、各サムネイル画像データに対応する判定結果をＨＤＤ３７から読み出し、各判定結果に応じた記号６８、６９を各サムネイル画像に重ねて表示するようにしてもよい。図８では、画像判定回路４３がプリント注文に適していると判定したものに○の記号６８を付し、適さないと判定したものにはエクスクラメーションマークの記号６９を付すようにしている。このように、一覧６２などにサムネイル表示する際に報知を行うことにより、例えば、撮影だけを連続して行い、画像の適否の判定を後に行うような場合においても、プリント注文に適した画像であるか否かを即座に認識することができる。なお、記号６８、６９は、これに限ることなく、判定結果を即座に認識できるものであれば、如何なるものでもよい。
【００５７】
なお、一覧６２は、プログラム３８をＣＰＵ３５が逐次処理し、モニタドライバ４４を制御することによってモニタ１３に表示されるものである。すなわち、本例における請求項記載の一覧表示手段は、報知手段及び並列表示手段と同様にＣＰＵ３５、プログラム３８、モニタドライバ４４によって構成される。
【００５８】
また、上記実施形態では、判定項目をピントの合焦状態と露出の過不足のみにしているが、この他に、例えば、カラーバランスやコントラスト、さらには、人物の目つむりやよそ見などを含めるようにしてもよい。なお、人物の顔から眼（特に黒眼）の部分を抽出する方法は、例えば、特開２００３−１８７２５７号公報などによって知られている。
【００５９】
また、上記実施形態では、報知手段をＣＰＵ３５、プログラム３８、モニタドライバ４４、及びモニタ１３から構成し、モニタ１３に各判定結果アイコン６５、６６を表示することによって、オペレータに判定結果を報知するようにしているが、これに限ることなく、例えば、報知用のウィンドウをポップアップ表示するようにしてもよい。さらには、報知手段にスピーカを用いて音声で判定結果をアナウンスするようにしてもよいし、ランプなどを用いて報知するようにしてもよい。また、例えば、枠６７を表示させる際などに、どのようにすればその異常が解消されるのかをアナウンスして、オペレータがカメラ撮影条件や照明器具などにフィードバックをかけられるようにしてもよい。具体的には、ピント判定部４３ａがピント異常を判定した際に、絞り値を大きくするように（被射界深度を広げるように）指示を出したり、露出判定部４３ｂが露出アンダーを判定した際に、絞り値を小さくするように指示を出す。なお、主要部分の解析結果を基にして、最適な設定値をアナウンスするようにしてもよい。
【００６０】
また、上記実施形態では、報知画像として枠６７を用いているが、これに限ることなく、判定結果を即座に認識できるものであれば、例えば、記号６８、６９のようなものであってもよい。
【００６１】
なお、操作の簡便化を図るために、モニタ１３をタッチパネルで構成し、モニタ１３の画面に顧客が指を接触させることで、各種選択操作を行わせるようにしてもよい。
【００６２】
また、主要画像６４の表示サイズに特に規定はないが、全体画像６３の表示サイズとのバランスや視認性などを考慮して決定することが好ましい。
【００６３】
上記実施形態では、撮影工程のときにのみ全体画像６３とともに主要画像６４と各判定結果とを表示させるようにしたが、ＨＤＤ３７に記憶されたデータに基づいて取り込み工程や選択工程など、他の工程で主要画像６４と各判定結果とを表示させるようにしてもよい。
【図面の簡単な説明】
【００６４】
【図１】写真撮影システムの構成を示す概略図である。
【図２】デジタルカメラの内部構成を示すブロック図である。
【図３】パーソナルコンピュータの内部構成を示すブロック図である。
【図４】顧客管理ウィンドウを示す説明図である。
【図５】撮影ウィンドウを示す説明図である。
【図６】撮影ウィンドウに報知画像を表示した状態を示す説明図である。
【図７】写真撮影システムの撮影工程における処理手順を示すフローチャートである。
【図８】サムネイルに判定結果を表示する例を示す説明図である。
【符号の説明】
【００６５】
２  写真撮影システム
１０  デジタルカメラ
１２  パーソナルコンピュータ（ＰＣ、情報処理装置）
１３  モニタ
２０  ＣＰＵ
２５  撮像部
２７  圧縮・伸長処理回路
３５  ＣＰＵ
３７  ハードディスクドライブ（ＨＤＤ、記憶手段）
３８  写真撮影システム用プログラム（プログラム）
４１  ＤＳＰ
４２  主要部分抽出回路（抽出手段）
４３  画像判定回路（判定手段）
４４  モニタドライバ
５０  顧客管理ウィンドウ
６０  撮影ウィンドウ
６２  一覧
６３  全体画像
６４  主要画像
６５  ピント用判定結果アイコン
６６  露出用判定結果アイコン
６７  枠（報知画像）
６８、６９  記号
【図１】
2006178348.tif 000003
【図２】
2006178348.tif 000004
【図３】
2006178348.tif 000005
【図４】
2006178348.tif 000006
【図５】
2006178348.tif 000007
【図６】
2006178348.tif 000008
【図７】
2006178348.tif 000009
【図８】
2006178348.tif 000010